(57)【要約】【課題】  撮影する動画像に対して付属情報付加のためのメニュー項目を表示し設定する機能がある撮像装置において、メディアの大容量化によって、メニュー項目数が増え、所望の項目を探し出し設定することが煩わしいという問題があった。また、撮像装置が小型化した場合、表示するメニュー項目の数が制限され、所望のメニュー項目を探し出すのにさらに時間がかかるという問題があった。【解決手段】  メニュー項目を設定する際に、無線通信により周囲の機器から機器情報を取得する。この結果に基づいて、メニュー項目の表示させる優先度を変更させ、ユーザーの所望のメニュー項目を優先的に表示する。【選択図】  図１
2010050552.tif 000002
【特許請求の範囲】
【請求項１】
無線通信により外部機器と通信可能な撮像装置であって、
前記撮像装置は撮影に関する設定を行うためのメニューを表示する表示手段と、
前記無線通信により周囲の機器の数を検知する検知手段と、
前記検知手段により検知された前記周囲の機器の数により、メニューの優先度を変更する変更手段と、
前記メニューの変更手段により変更した項目を優先度に従って表示する表示手段と、
を持つことを特徴とする撮像装置。
【請求項２】
前記検知手段は、周囲の機器の数と前記周囲の機器ごとの撮影情報を取得することを特徴とする請求項１に記載の撮像装置。
【請求項３】
前記検知手段により取得した撮影情報から前記メニュー変更手段に必要な情報のみを抽出し管理する制御手段をさらに備えることを特徴とする請求項２に記載の撮像装置。
【請求項４】
前記変更手段は、前記検知手段により取得した前記周囲の機器の数と前記制御手段により抽出した撮影情報を元に、メニューの優先度を変更することを特徴とする請求項３に記載の撮像装置。
【請求項５】
前記無線通信手段において、通信した機器に対して識別子を割り当て、前記識別子を保存して管理する識別子管理手段を持つことを特徴とする請求項１に記載の撮像装置。
【請求項６】
前記変更手段は、前記検知手段により検知された無線機の数と、前記識別子管理手段により管理した識別子と、前記検知手段により検知した前記周囲の機器における識別子を照合した結果を元に、メニューの優先度を変更することを特徴とする請求項５に記載の撮像装置。
【請求項７】
前記検知手段により検知した周囲の機器の数と、前記無線通信により外部機器と通信可能な撮像装置における撮影情報を元に、メニューの優先度を変更することを特徴とする請求項１に記載の撮像装置。
【請求項８】
前記無線通信により外部機器と通信可能な撮像装置は、周囲の環境情報を取得する環境情報取得手段をさらに有したことを特徴とする請求項１に記載の撮像装置。
【請求項９】
前記環境情報取得手段は、周囲の音の情報や、GPS情報の環境情報であることを特徴とする請求項８に記載の撮像装置。
【請求項１０】
前記検知手段により検知した周囲の機器の数と、前記環境情報取得手段により取得した環境情報を元に、メニューの優先度を変更することを特徴とする請求項８、又は請求項９に記載の撮像装置。
【発明の詳細な説明】
【技術分野】
【０００１】
本発明は、外部機器と無線通信可能な撮像装置、その撮像装置における表示システムに関する。
【背景技術】
【０００２】
従来、撮像装置における撮影した動画像のグループ化として、撮影開始前にこれから撮影する動画像に対してグループ名を割り当て、撮影終了までの期間に撮影された動画像を１つのグループとして管理する手法が提案されている。（たとえば特許文献１）
また、撮影した動画像から、画像の付属情報を読み取り、予め用意したイベント項目と照合し、自動的にグループ分けを行う手法も提案されている。（例えば特許文献２）
【特許文献１】特開２００１−３４５８１７号公報
【特許文献２】特開２００７−１２９４３４号公報
【発明の開示】
【発明が解決しようとする課題】
【０００３】
しかしながら、特許文献１において、保存メディアの大容量化によって、予め用意した複数のメニュー名（グループ名）を選択させる場合、多量の選択項目になり、所望の項目を探し出し設定することが煩わしいという問題があった。また、特許文献２においても、自動によるメニュー名（イベント名）の付加に失敗した場合、予め用意したメニュー項目（イベント項目）からユーザーが選択する作業が必要になり、特許文献１と同様の問題があった。さらに、撮像装置が小型化した場合、表示するメニュー項目の数が制限され、所望のメニュー項目を探し出すのにさらに時間がかかるという問題があった。
【０００４】
本発明は以上のことを鑑みてなされたものであって、ユーザーが簡単な操作で所望のメニュー項目を探し出し設定を行える、表示システムを提供することを目的とする。
【課題を解決するための手段】
【０００５】
上記課題を解決するために、本発明に係る撮像装置は、
請求項１記載の発明によれば、無線通信により外部機器と通信可能な撮像装置は、撮影に関する設定を行うためのメニューを表示する表示手段と、前記無線通信により周囲の機器の数を検知する検知手段と、前記検知手段により検知された無線機の数により、メニューの優先度を変更する変更手段と、前記メニューの変更手段により変更した項目を優先度に従って表示する表示手段を持つことを特徴とする。
【０００６】
請求項２に記載の発明によれば、撮像装置は、前記検知手段により、周囲の機器の数と、前記機器ごとの撮影情報を取得することを特徴とする請求項１に記載の撮像装置である。
【０００７】
請求項３に記載の発明によれば、撮像装置は、前記検知手段により取得した撮影情報から、前記メニュー変更手段に必要な情報のみを抽出し管理する制御手段をさらに備えることを特徴とする請求項２に記載の撮像装置である。
【０００８】
請求項４に記載の発明によれば、撮像装置は、前記検知手段により取得した前記周囲の機器の数と、前記制御手段により抽出した撮影情報を元に、メニューの優先度を変更することを特徴とする請求項３に記載の撮像装置である。
【０００９】
請求項５に記載の発明によれば、撮像装置は、通信した機器に対して識別子を割り当て、前記識別子を保存して管理する識別子管理手段を持つことを特徴とする請求項１に記載の撮像装置である。
【００１０】
請求項６に記載の発明によれば、撮像装置は、前記検知手段により検知された無線機の数と、前記識別子管理手段により管理した識別子と、前記検知手段により検知した前記周囲の機器における識別子を照合した結果を元に、メニューの優先度を変更する変更手段を持つことを特徴とする請求項５に記載の撮像装置である。
【００１１】
請求項７に記載の発明によれば、撮像装置は、前記検知手段により検知した周囲の機器の数と、前記無線通信により外部機器と通信可能な撮像装置における撮影情報を元に、メニューの優先度を変更することを特徴とする請求項１に記載の撮像装置である。
【００１２】
請求項８に記載の発明によれば、撮像装置は、周囲の環境情報を取得する環境情報取得手段をさらに有することを特徴とする請求項１に記載の撮像装置である。
【００１３】
請求項９に記載の発明によれば、撮像装置は、前記環境情報取得手段により周囲の音の情報や、GPS情報の環境情報を取得することを特徴とする請求項８に記載の撮像装置である。
【００１４】
請求項１０に記載の発明によれば、撮像装置は、前記検知手段により検知した周囲の機器の数と、前記環境情報取得手段により取得した環境情報を元に、メニューの優先度を変更することを特徴とする請求項８、又は請求項９に記載の撮像装置である。
【発明の効果】
【００１５】
本発明によれば、ユーザーは簡単な操作で所望のメニュー項目を探し出して設定することが可能である。
【発明を実施するための最良の形態】
【００１６】
次に、本発明の詳細を実施例の記述に従って説明する。
【００１７】
以下、図面を参照しながら本発明を説明する。
【００１８】
図１は、本発明の実施における撮像装置のシステムを示すブロック図である。図１において、撮像装置１００は、無線通信部１０１、無線検知部１０２、表示部１０３、入力部１０４、記憶部１０５、撮像部１０６、環境取得部１０７、主制御部１０８を備える。周辺機器１０９は、無線通信部１１０、表示部１１１、入力部１１２、記憶部１１３、撮像部１１４、主制御部１１５を備える。
【００１９】
撮像装置１００において、１０１は撮像装置の周辺の機器と無線通信を行う通信部である。１０２は１０１で通信した結果に基づいて、周辺機器の数を検知する無線検知部である。１０３は、主制御部１０８が指示した情報を表示するための表示部である。１０４は、ユーザーからの操作要求などを主制御部に伝える入力部である。１０５は、撮像部１０６で撮影した動画像データや、無線検知部１０２の解析結果を保存するための記憶部である。１０６は、動画や静止画を撮影するための撮像部である。１０７は、撮影部１０６が撮影したときなどに周囲の環境の情報を取得するための環境取得部である。
【００２０】
周辺機器１０９において、１１０は、外部と無線通信を行う通信部である。１１１は、制御部１１５が指示した情報を表示するための表示部。１１２は、ユーザーからの操作要求などを主制御部に伝える入力部である。１１３は、撮像部１０６で撮影した動画像データを保存するための記憶部である。１０６は、動画や静止画を撮影するための撮像部である。
【００２１】
撮像装置の主制御部１０８は、無線通信部１０１に対して、ポーリング処理や割り込みのタイミングなどにより、周囲の機器の有無を監視させ、周囲の機器情報を最新になるようにする。このとき無線通信部１０１は、周辺機器１０９が存在した場合、無線通信部１１０と通信することによって、周辺機器１０９の機器情報を取得する。
【００２２】
主制御部１０８は、入力部１０４からメニュー項目画面の表示を求められたとき、無線検知部１０２に対して、最新の周囲の機器情報において機器の数や、撮影情報などのデータを集計するように指示する。さらに必要ならば、主制御部１０８は、撮像装置１００の撮影情報や、環境取得部１０７からの環境情報も取得する。そして、主制御部１０８はその結果と現在のメニュー項目の優先度との比較を行い。必要に応じてメニュー項目の表示する優先度を変更する。
【００２３】
最後に、主制御部１０８は表示部１０３に対して、変更後のメニュー項目を表示するように指示する。
【００２４】
図２は、本実施例の形態である撮像装置２０１と周囲機器２０２、周囲機器２０３、周囲機器２０４を示した図である。
【００２５】
撮像装置２０１は、周期的に周囲の機器の有無を監視する。このとき、周辺機器２０２、周囲機器２０３、周囲機器２０４が周辺にあった場合、撮像装置２０１は、無線通信によって、機器の数３台と、必要であるならば、それぞれの機器の撮影情報なども同時に取得する。
【実施例１】
【００２６】
以下、本発明の実施形態１の具体例を示す。
【００２７】
図３の（a）は、本発明の実施の形態１の撮像装置１００が、記憶部１０５で保存している、メニュー項目と検知数と優先度を対応させたデータテーブル３０１を示している。このとき、メニュー項目は、記録する動画像に属性情報として付加するためのイベント項目であり、検知数は、それぞれのイベント項目に対して定義した数である。どちらも、予め定義するか、ユーザーが設定や作成できてもよい。また、優先度においは、主制御部１０８が管理し、表示部１０３はこの値を元に表示順序を決定するためのものである。
【００２８】
図３の（ｂ）は、本発明の実施の形態１の撮像装置１００が、記憶部１０５で保存している、無線通信部１０１が周辺機器との無線通信によって取得する機器情報から、無線検知部１０２が必要な情報のみを抽出して管理するためのデータテーブル３０２を示している。機器の数は、無線通信によって検知できた周辺機器の数である。主制御部１０８は、このデータテーブル３０２の結果と、データテーブル３０１を比較して、メニュー項目の優先度の変更を行う。
【００２９】
図４は、本発明の実施の形態１における撮像装置１００のメニュー項目の表示までのフローチャートを示している。
【００３０】
無線検知部１０２は、無線通信部１０１からの周辺機器の情報を元に、周辺機器の数を取得しデータテーブル３０２に保存する。（ステップS４０１）次に、主制御部１０８は、データテーブル３０２とデータテーブル３０１の比較を行う。（ステップS４０２）周辺機器の数が１０以上だった場合、データテーブル３０１の検知数が１０以上と設定されているメニュー項目の優先度を高く設定する。（ステップS４０３）逆に、周辺機器の数が１０未満であった場合、データテーブル３０１の検知数が１０未満と設定されているメニュー項目の優先度の高く設定する。（ステップS４０４）最後に、主制御部１０８は、データテーブル３０１に基づいて表示するように表示部１０３に対して指示する。表示部１０３はデータテーブル３０１の優先度が高いメニュー項目から順に表示する。（ステップS４０５）
図５の（a）は、本発明の実施の形態１における撮像装置１００の主制御部１０８が、無線検知部１０２の結果に従って優先度を変更した後のデータテーブル５０１を示している。図５の（ｂ）は、無線検知部１０２が無線通信部１０１の機器情報より抽出した機器の数を保存した後のデータテーブル５０２を示している。図５の（ｃ）は、データテーブル５０１の結果を元に表示部１０３が表示した表示結果５０３を示している。
【００３１】
データテーブル５０２の結果が１２台であるため、データテーブル５０１において検知数が１０以上のメニュー項目の優先度が高く設定される。そのため、表示結果５０３は、検知数１０以上のメニュー項目が優先的に表示される。
【００３２】
図６の（a）は、本発明の実施の形態１における撮像装置１００の主制御部１０８が、無線検知部１０２の結果に従って優先度を変更した後のデータテーブル６０１を示している。図６の（ｂ）は、無線検知部１０２が無線通信部１０１の機器情報より抽出した機器の数を保存した後のデータテーブル６０２を示している。図６の（ｃ）は、データテーブル６０１の結果を元に表示部１０３が表示した表示結果６０３を示している。
【００３３】
データテーブル６０２の結果が５台であるため、データテーブル６０１において検知数が１０未満のメニュー項目の優先度が高く設定される。そのため、表示結果６０３は、検知数１０未満のメニュー項目が優先的に表示される。
【００３４】
以上の説明したとおり、本発明の実施の形態１では、メニュー項目の表示をする際に、そのときの周辺機器の数を元に優先度を変えて表示するため、より適切なメニュー項目の表示が可能である。
【実施例２】
【００３５】
次に、本発明の実施形態２の具体例を示す。
【００３６】
図７の（a）は、本発明の実施の形態２の撮像装置１００が、記憶部１０５で保存している、メニュー項目と検知数と識別子、優先度を対応させたデータテーブル７０１を示している。このとき、メニュー項目は、記録する動画像に属性情報として付加するためのイベント項目であり、検知数は、それぞれのイベント項目に対して定義した数である。どちらも、予め定義するか、ユーザーが設定や作成できてもよい。また、識別子は、頻繁に無線通信を行う撮像装置を登録する際に割り当てた値であり、ユーザーが予め、メニュー項目別にそれぞれ登録したものである。また、優先度においは、主制御部１０８が管理し、表示部１０３はこの値を元に表示順序を決定するためのものである。
【００３７】
図７の（ｂ）は、本発明の実施形態２の撮像装置１００が、記憶部１０５で保存している、無線通信部１０１が周辺機器との無線通信によって取得する機器情報から、無線検知部１０２が必要な情報のみを抽出して管理するためのデータテーブル７０２を示している。機器の数は、無線通信によって検知できた周辺機器の数である。また、機器の識別子は、無線通信によって、取得した機器固有の識別子である。主制御部１０８は、このデータテーブル７０２の結果と、データテーブル７０１を比較して、メニュー項目の優先度の変更を行う。
【００３８】
図８は、本発明の実施の形態２における撮像装置１００のメニュー項目の表示までのフローチャートを示している。
【００３９】
無線検知部１０２は、無線通信部１０１からの周辺機器の情報を元に、周辺機器の数と機器固有の識別子の情報を取得しデータテーブル７０２に保存する。（ステップS８０１）次に、主制御部１０８は、データテーブル７０２とデータテーブル７０１の検知数の比較を行う。（ステップS８０２）周辺機器の数が１０以上だった場合、データテーブル８０１の検知数が１０以上と設定されているメニュー項目の優先度を高く設定する。（ステップS８０３）逆に、周辺機器の数が１０未満であった場合、データテーブル７０１の検知数が１０未満と設定されているメニュー項目の優先度の高く設定する。（ステップS８０４）次に、主制御部１０８は、優先度を変更したデータテーブル７０１と、データテーブル７０２において識別子の照合を行う。（ステップS８０５）このとき、識別子が最も多く含まれているメニュー項目の優先度を高く設定する。（ステップS８０６）最後に、主制御部１０８は、データテーブル７０１に基づいて表示するように表示部１０３に対して指示する。表示部１０３はデータテーブル７０１の優先度が高いメニュー項目から順に表示する。（ステップS８０７）
図９の（a）は、本発明の実施の形態２における撮像装置１００の主制御部１０８が、無線検知部１０２の結果に従って優先度を変更した後のデータテーブル９０１を示している。図９の（ｂ）は、無線検知部１０２が無線通信部１０１の機器情報より抽出した機器の数を保存した後のデータテーブル９０２を示している。図９の（ｃ）は、データテーブル９０１の結果を元に表示部１０３が表示した表示結果９０３を示している。
【００４０】
データテーブル９０２の機器の数が１０台であったため、１０以上のメニュー項目の優先度が高く設定され、データテーブル９０２の機器の識別子の照合において、１０２a〜１０２ｊの機器が多く検知されたため、１０以上のメニュー項目の中でさらに優先度の変更があり、データテーブル９０１で示した優先度の変更結果となる。そのため、表示結果９０３は、検知数１０以上、機器の識別子の照合が最も多いメニュー項目が優先的に表示される。
【００４１】
図１０の（a）は、本発明の実施の形態２における撮像装置１００の主制御部１０８が、無線検知部１０２の結果に従って優先度を変更した後のデータテーブル１００１を示している。図１０の（ｂ）は、無線検知部１０２が無線通信部１０１の機器情報より抽出した機器の数を保存した後のデータテーブル１００２を示している。図１０の（ｃ）は、データテーブル１００１の結果を元に表示部１０３が表示した表示結果１００３を示している。
【００４２】
データテーブル１００２の機器の数が１台であったため、１０未満のメニュー項目の優先度が高く設定され、データテーブル１００２の機器の識別子の照合において、１０５aの機器が１台のみ検知されたため、１０未満のメニュー項目の中でさらに優先度の変更があり、データテーブル１００１で示した優先度の変更結果となる。そのため、表示結果１００３は、検知数１０未満、機器の識別子の照合が最も多いメニュー項目が優先的に表示される。
【００４３】
以上の説明したとおり、本発明の実施の形態２では、メニュー項目の表示をする際に、そのときの周辺機器の数と、識別子を元に優先度を変えて表示するため、実施の形態１よりも精度の高い適切なメニュー項目の表示が可能である。
【実施例３】
【００４４】
次に、本発明の実施形態３の具体例を示す。
【００４５】
図１１の（a）は、本発明の実施の形態３の撮像装置１００が、記憶部１０５で保存している、メニュー項目と検知数と優先度を対応させたデータテーブル１１０１を示している。このとき、メニュー項目は、撮影するためのカメラパラメータ設定を簡単に行うための撮影シーン設定であり、予め用意されたものか、ユーザーが設定や作成できてもよい。検知数においては、無線検知部１０２が検知した数を管理するために使用するため、ユーザーは変更不可である。データテーブル１１０１の検知数は、周辺機器を検知する前の状態として、すべてゼロの値が入っている。また、優先度においては、主制御部１０８が管理し、表示部１０３はこの値を元に表示順序を決定するためのものである。
【００４６】
図１２は、本発明の実施の形態３における撮像装置１００のメニュー項目の表示までのフローチャートを示している。
【００４７】
無線検知部１０２は、無線通信部１０１からの周辺機器の情報を元に、周辺機器の数と機器の撮影情報を取得しデータテーブル１１０２に保存する。（ステップS１２０１）次に、主制御部１０８は、データテーブル１１０２の撮影情報とデータテーブル１１０１のメニュー項目の照合を行う。（ステップS１２０２）照合した結果をデータテーブル１１０１の検知数に保存して、その結果を元に検知数が多いメニュー項目の優先度を高く設定する。（ステップS１２０３）最後に、主制御部１０８は、データテーブル１１０１に基づいて表示するように表示部１０３に対して指示する。表示部１０３はデータテーブル１１０１の優先度が高いメニュー項目から順に表示する。（ステップS１２０４）
図１３の（a）は、本発明の実施の形態３における撮像装置１００の主制御部１０８が、無線検知部１０２の結果に従って検知数と優先度を変更した後のデータテーブル１３０１を示している。図１３の（ｂ）は、無線検知部１０２が無線通信部１０１の機器情報より抽出した機器の数と機器情報を保存した後のデータテーブル１３０２を示している。図１３の（ｃ）は、データテーブル１３０１の結果を元に表示部１０３が表示した表示結果１３０３を示している。
【００４８】
データテーブル１３０２の機器情報が、ポートレート６台、スポーツ９台であったため、スポーツとポートレートの優先度が変更になり、データテーブル１３０１で示した優先度の変更結果となる。そのため、表示結果１３０３は、検知数が最も多いメニュー項目が優先的に表示される。
【００４９】
図１４の（a）は、本発明の実施の形態３における撮像装置１００の主制御部１０８が、無線検知部１０２の結果に従って検知数と優先度を変更した後のデータテーブル１４０１を示している。図１４の（ｂ）は、無線検知部１０２が無線通信部１０１の機器情報より抽出した機器の数と機器情報を保存した後のデータテーブル１４０２を示している。図１４の（ｃ）は、データテーブル１４０１の結果を元に表示部１０３が表示した表示結果１４０３を示している。
【００５０】
データテーブル１４０２の機器情報が、ポートレート１台、夕焼け２台、ナイト６台、花火１０台であったため、花火、ナイト、夕焼け、ポートレートの順で優先度が変更になり、データテーブル１４０１で示した優先度の変更結果となる。そのため、表示結果１４０３は、検知数が最も多いメニュー項目が優先的に表示される。
【００５１】
以上の説明したとおり、本発明の実施の形態３では、メニュー項目の表示をする際に、そのときの周辺機器の撮影情報を、機器の数によって優先度を変えて表示するため、精度の高い適切なメニュー項目の表示が可能である。
【実施例４】
【００５２】
次に、本発明の実施形態４の具体例を示す。
【００５３】
図１５の（a）は、本発明の実施の形態４の撮像装置１００が、記憶部１０５で保存している、メニュー項目と検知数とGPS情報、優先度を対応させたデータテーブル１５０１を示している。このとき、メニュー項目は、記録する動画像に属性情報として付加するためのイベント項目であり、検知数は、それぞれのイベント項目に対して定義した数である。どちらも、予め定義するか、ユーザーが設定や作成できてもよい。また、GPS情報は、頻繁に利用する施設のGPS情報に対してタグ名を割り当てたものであり、ユーザーが予め、メニュー項目別にそれぞれ登録したものである。また、優先度においは、主制御部１０８が管理し、表示部１０３はこの値を元に表示順序を決定するためのものである。
【００５４】
図１５の（ｂ）は、本発明の実施形態４の撮像装置１００が、記憶部１０５で保存している、無線通信部１０１が周辺機器との無線通信によって取得する機器情報から、無線検知部１０２が必要な情報のみを抽出して管理するためのデータテーブル１５０２を示している。機器の数は、無線通信によって検知できた周辺機器の数である。
【００５５】
図１５の（ｃ）は、本発明の実施形態４の撮像装置１００が、記憶部１０５で保存している、環境取得部１０７が取得した周辺の環境情報を管理するためのデータテーブル１５０３を示している。
【００５６】
主制御部１０８は、このデータテーブル１５０２とデータテーブル１５０３の結果と、データテーブル１５０１を比較して、メニュー項目の優先度の変更を行う。
【００５７】
図１６は、本発明の実施の形態４における撮像装置１００のメニュー項目の表示までのフローチャートを示している。
【００５８】
無線検知部１０２は、無線通信部１０１からの周辺機器の情報を元に、周辺機器の数を取得しデータテーブル１５０２に保存する。また、環境取得部１０７はGPS情報を取得し、データテーブル１５０３に保存する。（ステップS１６０１）次に、主制御部１０８は、データテーブル１５０２とデータテーブル１５０１の検知数の比較を行う。（ステップS１６０２）周辺機器の数が１０以上だった場合、データテーブル１５０１の検知数が１０以上と設定されているメニュー項目の優先度を高く設定する。（ステップS１６０３）逆に、周辺機器の数が１０未満であった場合、データテーブル１５０１の検知数が１０未満と設定されているメニュー項目の優先度の高く設定する。（ステップS１６０４）次に、主制御部１０８は、優先度を変更したデータテーブル１５０１と、データテーブル１５０３においてGPS情報の比較を行う。（ステップS１６０５）このとき、GPS情報の誤差が最も小さいメニュー項目の優先度を高く設定する。（ステップS１６０６）最後に、主制御部１０８は、データテーブル１５０１に基づいて表示するように表示部１０３に対して指示する。表示部１０３はデータテーブル１５０１の優先度が高いメニュー項目から順に表示する。（ステップS１６０７）
図１７の（a）は、本発明の実施の形態４における撮像装置１００の主制御部１０８が、無線検知部１０２と環境取得部１０７の情報に従って優先度を変更した後のデータテーブル１７０１を示している。図１７の（ｂ）は、無線検知部１０２が無線通信部１０１の機器情報より抽出した機器の数を保存した後のデータテーブル１７０２を示している。図１７の（ｃ）は、環境取得部１０７が取得したGPS情報を保存した後のデータテーブル１７０３を示している。図１７の（ｄ）は、データテーブル１７０１の結果を元に表示部１０３が表示した表示結果１７０４を示している。
【００５９】
データテーブル１７０２の機器の数が１２台であったため、１０以上のメニュー項目の優先度が高く設定され、１０以上のメニュー項目の優先度が高く設定される。次に、データテーブル１７０３のGPS情報と、データテーブル１７０１のGPS情報を比較して、最も誤差が小さいメニュー項目の優先度を高く変更する。よって、データテーブル１７０１の変更結果となる。そのため、表示結果１７０４は、検知数１０以上、GPS情報の誤差が小さいメニュー項目が優先的に表示される。
【００６０】
以上の説明したとおり、本発明の実施の形態４では、メニュー項目の表示をする際に、そのときの周辺機器の数と、GPS情報を元に優先度を変えて表示するため、実施の形態１よりも精度の高い適切なメニュー項目の表示が可能である。
【００６１】
以上の実施例１，実施例２，実施例３、実施例４により、ユーザーが簡単な操作で所望のメニュー項目を探し出し設定を行える、表示システムを提供することが可能である。
【００６２】
また、実施例１，実施例２，実施例３、実施例４において、メニュー項目は、イベント項目、撮影シーン設定であるとしたが、これに限るものではなく、動画撮影モード、動画再生モード、静止画撮影モード、静止画再生モードなどのカメラモード項目や、シャッタースピード、絞りなどのカメラパラメータ値の項目や、記録した動画像のサムネイル、フォルダ、日付などの項目であってもよい。
【００６３】
また、実施例１，実施例２，実施例３、実施例４において、周辺機器から取得する情報は、機器の数、機器ID、撮影シーン設定の項目であったが、これに限るものではなく、シャッタースピード、絞り、露出などのカメラパラメータなどの撮影情報、動画撮影モード、動画撮影モード、静止画撮影モード、静止画再生モードなどのカメラモード情報、カレンダー機能があった場合にはイベント情報などであってもよい。
【００６４】
また、実施例１、実施例２、実施例３において、周辺機器から取得した情報のみの組み合わせを示したが、周辺機器から検知した機器情報と、現在設定されている撮像装置１００の撮影における設定値と組み合わせても良い。例えば、カメラパラメータにおけるシャッタースピード、絞り、露出、ホワイトバランス、フォーカス値などでもよい。このとき、暗い場所を想定したカメラパラメータが設定され、周辺機器の検知した数が多い場合、ライブなどの屋内で人が多いメニュー項目を優先的に表示させることも可能である。
【００６５】
また、実施例１、実施例２、実施例３において、周辺機器から取得した情報のみの組み合わせを示したが、周辺機器から検知した機器情報と、撮像装置１００で設定されている日時、カレンダー機能がある場合、登録してあるイベント情報などの管理情報との組み合わせてもよい。
【００６６】
また、実施例４において、周辺機器から検知した機器情報と環境情報としてGPS情報の組み合わせを実施例に挙げたが、これに限るものではなく、撮像装置１００にある、温度センサやマイクなどの取得情報との組み合わせてもよい。例えば、マイクから取得した音圧との組み合わせの場合、音が騒がしい場所で、周辺機器の検知した数が多い時に、運動会などを優先的に表示することが可能である。
【００６７】
また、実施例１、実施例２、実施例３、実施例４において、メニュー項目の優先度を変更する際に、１つまたは、２つの値の組み合わせを例に挙げたが、３つ以上の組み合わせ条件でもよい。このとき、周囲の機器情報は必ず条件に含まれていることが必要である。
【００６８】
本発明によれば、ユーザーは、保存メディアの大容量化によって、多量のメニュー項目があった場合、所望の項目を探し出し設定することが容易に行うことができる。さらに、周辺機器からの撮影情報などの取得によって、その場での最適な撮影情報を優先的に表示させることで、初心者に対してカメラパラメータなどの補助も行うことが可能である。
【図面の簡単な説明】
【００６９】
【図１】本発明を適用した撮像装置のシステム構成を示すブロック図。
【図２】本発明を適用した撮像装置と周辺機器を示した図。
【図３】本発明を適用した撮像装置の実施例１において使用するデータテーブル。
【図４】本発明を適用した撮像装置の実施例１における、メニュー項目の優先度を変更し表示するまでのフローチャート図。
【図５】本発明を適用した撮像装置の実施例１における表示結果１。
【図６】本発明を適用した撮像装置の実施例１における表示結果２。
【図７】本発明を適用した撮像装置の実施例２において使用するデータテーブル。
【図８】本発明を適用した撮像装置の実施例２における、メニュー項目の優先度を変更し表示するまでのフローチャート図。
【図９】本発明を適用した撮像装置の実施例２における表示結果１。
【図１０】本発明を適用した撮像装置の実施例２における表示結果２。
【図１１】本発明を適用した撮像装置の実施例３において使用するデータテーブル。
【図１２】本発明を適用した撮像装置の実施例３における、メニュー項目の優先度を変更し表示するまでのフローチャート図。
【図１３】本発明を適用した撮像装置の実施例３における表示結果１。
【図１４】本発明を適用した撮像装置の実施例３における表示結果２。
【図１５】本発明を適用した撮像装置の実施例４において使用するデータテーブル。
【図１６】本発明を適用した撮像装置の実施例４における、メニュー項目の優先度を変更し表示するまでのフローチャート図。
【図１７】本発明を適用した撮像装置の実施例４における表示結果。
【符号の説明】
【００７０】
１００、２０１  撮像装置
１０９、２０２、２０３、２０４  周辺機器
１０１、１１０  無線通信部
１０２：無線検知部
１０３、１１１  表示部
１０４、１１２  入力部
１０５、１１３  記憶部
１０６、１１４  撮像部
１０７  環境取得部
１０８、１１５  主制御部
３０１、５０１、６０１、７０１、９０１、１００１、１１０１、１３０１、１４０１、１５０１、１７０１  優先度管理用データテーブル
３０２、５０２、６０２、７０２、９０２、１００２、１１０２、１３０２、１４０２、１５０２、１７０２  通信用データテーブル
１５０３、１７０３  環境情報管理用データテーブル
５０３、６０３、９０３、１００３、１３０３、１４０３、１７０４  表示結果
【図１】
2010050552.tif 000003
【図２】
2010050552.tif 000004
【図３】
2010050552.tif 000005
【図４】
2010050552.tif 000006
【図５】
2010050552.tif 000007
【図６】
2010050552.tif 000008
【図７】
2010050552.tif 000009
【図８】
2010050552.tif 000010
【図９】
2010050552.tif 000011
【図１０】
2010050552.tif 000012
【図１１】
2010050552.tif 000013
【図１２】
2010050552.tif 000014
【図１３】
2010050552.tif 000015
【図１４】
2010050552.tif 000016
【図１５】
2010050552.tif 000017
【図１６】
2010050552.tif 000018
【図１７】
2010050552.tif 000019